【事件の表示】
　平成　６年特許願第１３５９１０号「カバー式内視鏡」拒絶査定不服審判事件〔平成８年１月９日出願公開、特開平８−５４５〕について、次のとおり審決する。
【結　論】
　本件審判の請求は、成り立たない。
【理　由】
Ｉ．手続の経緯
　本願は、平成６年６月１７日の出願であって、平成１５年８月２０日付けで拒絶査定がなされ、これに対し、同年９月２４日に拒絶査定に対する審判請求がなされるとともに、同年１０月２４日付けで手続補正がなされたものである。
　
II．平成１５年１０月２４日付けの手続補正についての補正却下の決定
［補正却下の決定の結論］
　　平成１５年１０月２４日付けの手続補正を却下する。
［理由］
１．補正の内容
　　本件補正は、補正前（平成１４年１２月１６日付けで補正）の特許請求の範囲の（ｉ）請求項１および２の記載：「前記一体のレンズカバーの一部に遮光若しくは減光部分を設け、」を、「前記一体のレンズカバーの一部に
不透明部材
り、かつ、当該観察有効領域と照明有効領域とが前記レンズカバーの範囲内にあ
、かつ、当該観察有効領域と照明有効領域とが前記レンズカバーの範囲内にある
　請求項１および２における前記補正（ｉ）は、レンズカバーの一部に設ける遮光若しくは減光部分を「不透明部材」に特定するものであり、前記補正（ii）および（iii）は、観察有効領域と照明有効領域について、「かつ、当該観察有効領域と照明有効領域とが前記レンズカバーの範囲内にある」と特定する補正を行うものであるから、特許請求の範囲の減縮を目的とするものに該当する。
　
２．補正後の本願発明
　本件補正後の特許請求の範囲に記載されている事項により特定される発明は、次のとおりのものである。（以下、補正後の請求項２に係る発明を「本願補正発明」という。）
「【請求項１】　被写体を観察するための観察光学系及び前記被写体に照明光を照射するための照明光学系を近接させて配置したカバー用内視鏡と、このカバー用内視鏡を被覆し、このカバー用内視鏡の観察光学系及び照明光学系に対向する一体のレンズカバーを有する内視鏡カバーと、を組み合わせるカバー式内視鏡において、
　前記一体のレンズカバーの一部に
不透明部材
り、かつ、当該観察有効領域と照明有効領域とが前記レンズカバーの範囲内にあ
　【請求項２】　被写体を観察するための観察光学系及び前記被写体に照明光を照射するための照明光学系を近接させて配置したカバー用内視鏡と、このカバー用内視鏡を被覆し、このカバー用内視鏡の観察光学系及び照明光学系に対向する一体のレンズカバーを有する内視鏡カバーと、を組み合わせるカバー式内視鏡において、
　前記一体のレンズカバーの一部に
不透明部材
、かつ、当該観察有効領域と照明有効領域とが前記レンズカバーの範囲内にある
　
　そこで、本願補正発明が特許出願の際独立して特許を受けることができるものであるか（平成６年改正前特許法第１７条の２第４項において読み替えて準用する同法第１２６条第３項の規定に適合するか）について以下に検討する。
　
３．引用刊行物の記載事項
　原査定の拒絶の理由に引用された刊行物は次のものである。
刊行物１：特開平３−２６４０３７号号公報
刊行物２：特開昭６３−１０６６１７号公報
　
（１）刊行物１
　刊行物１には、内視鏡について次の事項が記載されている。
（１ａ）内視鏡の保護チューブの使用とそれによる問題点（２頁左上欄４行〜２頁右上欄１６行）
「従来、人体内部の観察等に用いられる内視鏡においては、人体内に挿入される先端構成部および挿入部に体液等が付着するのを防止するために、保護装置が用いられている。そのような保護装置としては、例えば第１３図に示すものがある。第１３図に示す保護装置は、内視鏡の挿入部１および先端構成部２を底部３ａを有する透明な保護チューブ３に挿入するようにしたものであり、保護チューブ３は締結バンド４によって先端構成部２に固定されている。なお、符号５は照明光用窓であり、符号６は観察用窓である。
　このような保護装置によれば、内視鏡の先端構成部２および挿入部１に体液が付着するのを保護チューブ３によって防止することができる。しかも、内視鏡の使用後は保護チューブ３を取り外し、新たな保護チューブと交換することにより、挿入部１および先端構成部３を洗浄する手間を省くことができる。
　ところが、そのような保護チューブ３を用いた保護装置においては、ハレーションが発生するため、観察が非常に行いにくくなるという問題があった。
　そこで、ハレーションの発生要因を追求したところ、次の２つの要因があることが判明した。
　１つの要因は、照明光用窓５から出射された照明光が、保護チューブ３の底部３ａの内面３ｂと先端構成部２の先端面との間を反射して観察用窓６に入射することによってハレーションを発生させるものであり、他の１つの要因は、照明光用窓５から出射された照明光が、一旦保護チューブ３の内部に入射し、底部３ａの内面３ｂと外面３ｃとの間を反射して観察用窓６に入射することによってハレーションを発生させるものである。」
（１ｂ）発明が解決しようとする課題（２頁左下欄８行〜右下欄８行）
「しかしながら、後者の要因、すなわち照明光用窓５から出射された照明光が保護チューブ３の内部に入り込み、そして内面３ｂと外面３ｃとの間を反射して（以下、このように反射する照明光を反射光という。）観察用窓６に入射し、これによってハレーションが発生する点については、そのような要因があるという認識さえなされておらず、ましてそれに対する対策は全く施されていなかった。このため、従来の保護装置においては反射光によるハレーションを全く防止することができなかった。例えば、上記従来の保護装置のように、突出部７を形成したとしても、反射光は突出部７によって遮られることがない。したがって、反射光によるハレーションを全く防止することができなかったのである。
　この発明は、上記の追及に基づいてなされたものであり、照明光が保護チューブの内面と外面との間を反射して観察用窓に入射するのを防止し、そのような反射光によるハレーションを解消することができる内視鏡用保護装置を提供することを目的とする。」
（１ｃ）課題を解決するための手段（２頁右下欄１０行〜３頁左上欄４行）
「この発明は、上記の目的を達成するために、底部を有する保護チューブに、照明光用窓および観察用窓が隣接して形成された先端構成部とこの先端構成部に続く挿入部とが挿入されてなる内視鏡用保護装置において、前記先端構成部の照明光用窓と観察用窓との間に位置する表面に光を吸収、散乱または反射する減光部を設け、この減光部を前記保護チューブに密着させたことを特徴とするものである。
　上記構成において、光の減光部は、先端構成部の表面を印刷または塗料の塗布等の手段によって暗色に着色したり、あるいは磨りガラスの表面のような粗面としたり、さらに照明光用窓側からの入射光を照明光用窓側へ反射する反射面とすることによって形成することができる。」
（１ｄ）照明光学系および観察光学系におけるレンズ（３頁右上欄３行〜左下欄２行）
「先端構成部１２には、その先端面１３に開口する照明光用窓１４と観察用窓１５とが互いに離間してそれぞれ形成されている。
　照明光用窓１４は、光ファイバの束からなるライトガイド１６を介して光源装置（図示せず）に接続されており、光源装置からライトガイド１６を介して供給された照明光が照明光用窓１４から前方へ照射されるようになっている。なお、符号１７はライドガイド１６を保護するためのカバーガラスである。このカバーガラス１７については、それに代えて集光または拡散用レンズが用いられることもあり、省略されることもある。
　上記観察用窓１５は、対物レンズ１８，１９および光ファイバの束からなるイメージガイド２０を介して操作基体に設けられた接眼部（図示せず）に光学的に接続されており、観察用窓１５から入射した像を接眼部で観察することができるようになっている。なお、符号２１は対物レンズ１８を保護するためのカバーガラスである。このカバーガラス２１についても省略されることがある。」
（１ｅ）保護チューブ２２（３頁左下欄３行〜右下欄８行）
「上記の挿入部１１および先端構成部１２は、保護チューブ２２の内部に挿入されている。保護チューブ２２は、柔軟性を有する透明な樹脂からなるものであり、筒部２３とこの筒部２３の一端部を閉塞する底部２４とを備えている。筒部２３は、通常、内径が挿入部１１および先端構成部１２の外径より若干大径に形成され、またその肉厚が０．１ｍｍもしくはそれ以下の薄肉に形成されているが、筒部２３を伸縮性を有するもので形成すれば、挿入部１１および先端構成部１２の直径と同等もしくはそれ以下に形成してもよく、また厚さも０．１ｍｍ以上のものでもよい。厚さの点については底部２４も同様である。
　このように構成された保護チューブ２２の内部には、先端構成部１２の先端面１３が底部２４に突き当たるまで先端構成部１２および挿入部１１が挿入されている。そして挿入後、筒部２３の開口側端部から保護チューブ２２とその内部に挿入された挿入部１１および先端構成部１２との間の空間内の空気が真空吸引され、これによって先端構成部１２の先端面１３と保護チューブ２２の底部２４の内面２４ａとが密着せしめられている。なお、真空吸引後、保護チューブ２２の開口部側端部は、締結バンド（図示せず）等によって挿入部１１の基端部または操作基体に締結バンド（図示せず）等によって固定されるとともに、密封されている。」
（１ｆ）図面の記載
　そして、隣接して形成された照明光用窓および観察用窓に対設される保護チューブのそれぞれの部分は、第３〜５図および第１３，１４図に同一の材料によって一体的に形成されている図示がなされているし、第１図には、保護チューブ２２が内視鏡の挿入部１１および先端構成部１２を挿入している筒状のものとして図示されている。
　
（２−２）刊行物２
　刊行物２には、内視鏡について次の事項が記載されている。
（２ａ）先端部を透明材料で一体成形した内視鏡（１頁左下欄１９行〜右下欄１０行）
「内視鏡は、その挿入部の先端に対物光学系、照明光学系および鉗子チャンネル口等を有する先端部が設けられている。この先端部は、一般に金属によって形成され、その外表面を絶縁材料によって被覆しているが、軽量化、加工の容易化を図るために、透明な合成樹脂材料もしくは透明ガラスによって一体に成形したものが知られている。このように先端部を透明材料によって一体に成形したものは、先端部本体の先端に対物レンズや照明レンズを先端部本体と一体に成形することができ、組立作業性の向上は勿論のこと、水密に構成できるという利点があり実用的である。」
（２ｂ）その問題点（１頁右下欄１２行〜２頁左上欄２行）
「ところが、先端部を透明な合成樹脂材料もしくは透明ガラスによって一体成形したものは、外部から余分な光が侵入してフレア等が発生するという欠点がある。
　この発明は、前記事情に着目してなされたもので、その目的とするところは、先端部を透光性を有する合成樹脂もしくは透明ガラスによって成形し、先端部本体とレンズを一体に形成しても、光の漏れおよび外部からの余分な光の侵入を遮断し、フレア等の発生を防止できる内視鏡を提供しようとするものである。」
（２ｃ）問題点を解決するための手段及び作用（２頁左上欄４行〜８行）
「この発明は、透明性材料によって成形された先端部に対物レンズ、照明レンズの少なくとも一方のレンズを一体に成形し、このレンズの周囲に遮光部材を設けることにより、光の漏れおよび侵入を防止することができるようにしたことにある。」
（２ｄ）第１の実施例（２頁左上欄１２行〜右上欄末行）
「第１図および第２図は第１の実施例を示すもので、１は内視鏡の挿入部の先端に設けられる先端部であり、この先端部本体２は透光性を有する合成樹脂もしくは透光性を有するガラスなどの透光性材料によって一体に成形されている。この先端部本体２には対物レンズ３とこの対物レンズを挟んで２つの照明レンズ４、４および鉗子チャンネル口５が設けられている。そして、前記対物レンズ３と照明レンズ４、４は先端部本体２と同一の透光性材料によって先端部本体２と一体に成形されており、この対物レンズ３および照明レンズ４、４の周囲にはリング状の遮光部材６・・・が囲繞するように設けられている。
　このように構成された先端部１によれば、対物レンズ３と光学繊維束７とからなる観察光学系８の先端、すなわち対物レンズ３の周囲は遮光部材６によって囲繞されるため、外部から余分な光が侵入することはなく、フレア等を防止できる。また、照明レンズ４の周囲も遮光部材６によって囲繞されているため、照明光が外部に漏れることはなく、目的部位に照明光を照射することができる。
　また、前述のように構成された先端部１を成形する場合には、成形用金型（図示しない）に予め遮光部材６・・・をセットし、溶融状態の透光性材料を射出させることにより、先端部本体２と対物レンズ３および照明レンズ４、４が一体に成形され、しかも対物レンズ３および照明レンズ４、４の周囲には遮光部材６・・・が一体に埋設されることになる。
（２ｅ）第２の実施例（２頁左下欄１行〜１６行）
「第３図は第２の実施例を示すもので、外装パイプ１０の先端にカバーガラス１１を設けて先端部１を構成したものである。このカバーガラス１１には観察光学系８と対向する対物レンズ１２と照明光学系９、９と対向する照明レンズ１３、１３が一体に設けられており、対物レンズ１２および照明レンズ１３、１３の周囲には遮光部材１４・・・が設けられている。このカバーガラス１１は第１の実施例と同様に射出成形によって成形してもよく、ガラスを加熱して軟化した状態でプレス成形することによって一体に成形してもよい。また、これら遮光部材１４は帯状金属板をリング状に湾曲して形成したものであり、第４図に示すように、両端部１４ａ、１４ａをラップさせるか、離すことによって、成型時、プレス時の歪みを吸収することができる。」
（２ｆ）円形でない異形の照明レンズを有する細径の内視鏡（３頁左上欄末行〜右上欄１９行）
「前述したように、対物レンズ、照明レンズおよびカバーガラスをプレス加工によって任意な形状に形成することができるため、内視鏡の先端部における各種レンズのレイアウトにも自由度を持たせることができる。すなわち、第１３図に示すように、ガラスもしくは金属板からなるレンズ保持体としてのベース３７に切削工具３８によって円もしくは長円の開口孔３９・・・を設け、これらの開口孔３９・・・にレンズ４０を装着することによって内視鏡の先端部を形成することができる。この方法によれば、第１４図（Ａ）に示すように、円形の対物レンズ４１を挟んで両側に円弧状の照明レンズ４２、４２を設けること、（Ｂ）に示すように対物レンズ４１を挟んで両側に長円形の照明レンズ４３、４３を設けること、（Ｃ）に示すように対物レンズ４１を囲繞するようにＵ字状の１つの照明レンズ４４を設けることができる。したがって、細径の内視鏡においても先端部のデッドスペースを利用して照明レンズの面積を拡大することができる。」　そして、第１４図には上記の記載に対応するレイアウトの内視鏡の先端部の様子が図示されている。
　
４．本願補正発明と刊行物１記載の発明との対比
（１）刊行物１記載の発明
　底部を有する保護チューブに挿入されて使用される刊行物１に記載された内視鏡（前記記載（１ａ）、（１ｃ）（１ｅ）参照）における被写体を観察するための観察光学系と前記被写体に照明光を照射するための照明光学系との配置関係は、刊行物１の「照明光用窓および観察用窓が隣接して形成された先端構成部」（前記記載（１ｃ）参照）という記載ならびに図面の記載からみて、「近接」といえない程離間しているとは認められないし、本願明細書における「近接」という用語も、どの程度の離間距離であれば「近接」といえない配置関係であるか特に定義されているわけではないから、刊行物１には、「被写体を観察するための観察光学系及び前記被写体に照明光を照射するための照明光学系を近接させて配置したカバー用内視鏡」が記載されている。
　また、刊行物１記載の内視鏡の先端構成部２に設けられた観察光学系と照明光学系には、前記記載（１ｄ）の如く、それぞれレンズを先端側に設けたものも記載されており、その挿入部１および先端構成部２は底部２４を有する透明な保護チューブ２２に挿入されるものであるから、刊行物１記載の「保護チューブの底部２４」は「カバー用内視鏡の観察光学系及び照明光学系に対向する一体のレンズカバー」に相当するから、刊行物１記載の「保護チューブ」は、「カバー用内視鏡を被覆し、このカバー用内視鏡の観察光学系及び照明光学系に対向する一体のレンズカバーを有する内視鏡カバー」に相当する。
　そして、刊行物１記載の内視鏡においても、前記観察光学系において観察に有効な範囲を通る光の光路が前記の透明な保護チューブの底部（レンズカバー）と平行な面と交差した領域として設定される観察有効領域と、前記照明光学系において照明に有効な範囲を通る光の光路が前記透明な保護チューブの底部（レンズカバー）と平行な面と交差した領域として設定される照明有効領域が当然存在するものである。
　そうすると、刊行物１には、「被写体を観察するための観察光学系及び前記被写体に照明光を照射するための照明光学系を近接させて配置したカバー用内視鏡と、このカバー用内視鏡を被覆し、このカバー用内視鏡の観察光学系及び照明光学系に対向する一体のレンズカバーを有する内視鏡カバーと、を組み合わせるカバー式内視鏡において、
　カバー用内視鏡の先端構成部の照明光用窓と観察光用窓との間に位置する表面に光を吸収、散乱または反射する減光部を設け、この減光部を前記内視鏡カバーに光学的に密着させ、かつ前記観察光学系において観察に有効な範囲を通る光の光路が前記レンズカバーと平行な面と交差した領域として設定される観察有効領域と、前記照明光学系において照明に有効な範囲を通る光の光路が前記レンズカバーと平行な面と交差した領域として設定される照明有効領域とが存在するカバー式内視鏡。」が記載されている。
　
（２）一致点・相違点
　本願補正発明における「前記一体のレンズカバーの一部に不透明部材を設け」るという構成は、明細書の段落【００６１】〜【００６３】等の記載にあるように、レンズカバー内に入射した照明光の一部がレンズカバー内で反射を繰り返し、観察光学系に到達することを阻止するための構成であるから、本願補正発明と刊行物１記載の発明とを対比すると、両者は、
（一致点）
「被写体を観察するための観察光学系及び前記被写体に照明光を照射するための照明光学系を近接させて配置したカバー用内視鏡と、このカバー用内視鏡を被覆し、このカバー用内視鏡の観察光学系及び照明光学系に対向する一体のレンズカバーを有する内視鏡カバーと、を組み合わせるカバー式内視鏡において、
　レンズカバー内部での照明光の反射によって照明光が観察光学系に入射しないようにする手段を備え、かつ前記観察光学系において観察に有効な範囲を通る光の光路が前記レンズカバーと平行な面と交差した領域として設定される観察有効領域と、前記照明光学系において照明に有効な範囲を通る光の光路が前記レンズカバーと平行な面と交差した領域として設定される照明有効領域とが存在するカバー式内視鏡。」
である点で一致するが、次の点で相違する。
（相違点１）
　レンズカバー内部での照明光の反射によって照明光が観察光学系に入射しないようにする手段（以下、「照明光入射防止手段」ということがある。）が、本願補正発明では、一体のレンズカバーの一部に不透明部材を設けるものであるのに対し、刊行物１記載の発明では、カバー用内視鏡の先端構成部の照明光用窓と観察光用窓との間に位置する表面に光を吸収、散乱または反射する減光部を設け、この減光部を前記内視鏡カバーに光学的に密着させたことによるものである点。
（相違点２）
　観察有効領域と照明有効領域とが、本願補正発明では、観察有効領域と照明有効領域のうち、少なくとも一方を円形ではない異形形状にし、かつ当該観察有効領域と照明有効領域とがレンズカバーの範囲内にあるものであるのに対し、刊行物１には、そのような観察有効領域と照明有効領域との形状関係およびレンズカバーとの関係について記載されていない点。
　
５．相違点についての検討
（１）相違点１について
　透明な透光物質内に入射し、進行してくる光の到達を阻止するために、透光物質内に不透明部材を設けることは、例えば、刊行物２において照明レンズ４の周囲に不透明部材である金属リングが設けられ、照明光が外部に漏れることを阻止している例（前記記載（２ｃ）〜（２ｅ）参照）にも見られるように、本願出願前周知の光入射阻止手段にすぎない。
　そして、レンズカバーを有する内視鏡カバーを使用するカバー式内視鏡においては、レンズカバー内部での反射などにより照明光が観察光学系に入射することを防止する必要性があることが刊行物１に記載されている以上、刊行物１に記載された照明光入射防止手段に代えて、周知の透明物質内での光入射阻止手段を用いるよう、前記一体のレンズカバーの一部に不透明部材を設ける程度のことは、当業者が適宜なし得る設計変更にすぎない。
　
（２）相違点２について
　先ず、本願補正発明の「観察有効領域と照明有効領域のうち、少なくとも一方を円形でない異形形状とする」構成に関して、本願明細書には「図３は図２に示すレンズカバー３５部分の拡大図である。このレンズカバー３５には、観察光学系３２の観察有効範囲として入射する対物光線がレンズカバー外側面３５ｂと交差する範囲である観察有効領域３２ｂが設定される。また、照明光学系３３の照明有効範囲として出射される照明光線がレンズカバー外側面３５ｂと交差する範囲が、照明有効領域３３ｂとしてレンズカバー３５上に設定される。・・・照明第１レンズ３３ａの（正面から見た）形状は、円形ではなく異形形状をしており、本実施例では、少なくとも観察光学系３２と近接する部分を直線形状部３３ｅとしたものとなっている。・・・前記照明有効領域３３ｂは、前記照明第１レンズ３３ａの形状に規制されるので、略相似形の異形形状となる。・・・本実施例では、前記照明第１レンズ３３ａは、図３中に二点鎖線Ｄで仮想的に示した円形の照明第１レンズＤと同面積を有し、且つ観察光学系近傍部を直線とすることにより、照明第１レンズ３３ａの長さｒ1 を短縮することができる。従って、本実施例では、照明第１レンズｒ1 の長さが短縮されることにより、照明有効領域３３ｂの長さｒ2 も短縮される。そして、更にレンズカバー３５の長さｒ3 も短くすることができ、先端径が円形状の照明第１レンズＤの時よりも細径化ができ、且つ光量は同等のものが得られる。すなわち、本実施例は、照明有効領域３３ｂのうち少なくとも観察光学系３２側を直線状に形成した異形形状にしており、観察有効領域を円形としていた従来の構成において、デッドスペースとなっていた領域を活用して有効領域とすることで、レンズカバーを小さくでき、カバー式内視鏡の細径化が図れる。」（段落【００２９】〜【００３８】）と記載されており、照明光学系３３の照明第１レンズ３３ａを円形ではない異形形状とし、それに対応して照明有効領域３３ｂを異形形状にすることにより、レンズカバーを小さくし、カバー式内視鏡の細径化を図ることが示されている。
　次に、この点を考慮して相違点２について検討する。
　刊行物２には、前記記載（２ｆ）から、円形の対物レンズに対して、照明レンズ（撮像光学系）を円弧状や長円形、Ｕ字状という円形ではない異形形状にしてデッドスペースを利用することにより細径の内視鏡を構成できることが示唆されている。そして、内視鏡カバーを用いるカバー式内視鏡においても、内視鏡カバーを用いない内視鏡と同様に、体腔内に挿入する挿入先端部の細径化という技術課題があることは明らかである。
　そうすると、刊行物１記載のカバー式内視鏡のカバー用内視鏡として、刊行物２記載の対物レンズ（撮像光学系）が円形で、照明レンズ（照明光学系）が円形ではない異形形状とした細径の内視鏡を用いることは、当業者が容易になし得る事項であり、その場合対応して、円形の観察有効領域に対して照明有効領域は円形ではない異形形状になるものであるし、また、当該観察有効領域と照明有効領域とをレンズカバーの範囲内にあるものとすることも、当業者が当然に考慮する設計的事項である。
　
　そして、本願補正発明の作用効果も、刊行物１及び２に記載された発明並びに上記周知技術から当業者であれば予測できる範囲のものである。
　したがって、本願補正発明は、本願出願前に頒布された上記刊行物１および２に記載された発明並びに上記周知技術に基づいて当業者が容易に発明をすることができたものであるから、特許法第２９条第２項の規定により、特許出願の際独立して特許を受けることができないものである。
　
６．むすび
　以上のとおり、本件補正は、平成６年改正前特許法第１７条の２第４項において読み替えて準用する同法第１２６条第３項の規定に違反するものであり、特許法第１５９条第１項で準用する同法第５３条第１項の規定により、却下すべきものである。
　
III．本願発明について
１．本願発明
　平成１５年１０月２４日付けの手続補正は上記のとおり却下されたので、本願の請求項１および２に係る発明は、平成１４年１２月１６日付けの手続補正書により補正された明細書の特許請求の範囲の請求項１および２に記載された事項により特定されるものであるところ、その請求項２は、次のとおりである。（以下、「本願発明」という。）
「【請求項２】　被写体を観察するための観察光学系及び前記被写体に照明光を照射するための照明光学系を近接させて配置したカバー用内視鏡と、このカバー用内視鏡を被覆し、このカバー用内視鏡の観察光学系及び照明光学系に対向する一体のレンズカバーを有する内視鏡カバーと、を組み合わせるカバー式内視鏡において、
　前記一体のレンズカバーの一部に遮光若しくは減光部分を設け、かつ、前記観察光学系において観察に有効な範囲を通る光の光路が前記レンズカバーと平行な面と交差した領域として設定される観察有効領域と、前記照明光学系において照明に有効な範囲を通る光の光路が前記レンズカバーと平行な面と交差した領域として設定される照明有効領域のうち、少なくとも一方を円形ではない異形形状にしたことを特徴とするカバー式内視鏡。」
　
２．引用刊行物の記載事項
　原査定の拒絶の理由に引用された刊行物およびその記載事項は、前記II．３．に記載したとおりである。
　
３．本願発明と刊行物１記載の発明との対比・検討
（１）一致点・相違点
　刊行物１には、前記II．４．（１）に記載したカバー式内視鏡が記載されているから、本願発明と刊行物１記載の発明とを対比すると、両者は、
（一致点）
「被写体を観察するための観察光学系及び前記被写体に照明光を照射するための照明光学系を近接させて配置したカバー用内視鏡と、このカバー用内視鏡を被覆し、このカバー用内視鏡の観察光学系及び照明光学系に対向する一体のレンズカバーを有する内視鏡カバーと、を組み合わせるカバー式内視鏡において、
　レンズカバー内部での照明光の反射によって照明光が観察光学系に入射しないようにする手段を備え、かつ前記観察光学系において観察に有効な範囲を通る光の光路が前記レンズカバーと平行な面と交差した領域として設定される観察有効領域と、前記照明光学系において照明に有効な範囲を通る光の光路が前記レンズカバーと平行な面と交差した領域として設定される照明有効領域とが存在するカバー式内視鏡。」
である点で一致するが、次の点で相違する。
（相違点１）
　レンズカバー内部での照明光の反射によって照明光が観察光学系に入射しないようにする手段（以下、「照明光入射防止手段」ということがある。）が、本願発明では、一体のレンズカバーの一部に遮光若しくは減光部分を設けるものであるのに対し、刊行物１記載の発明では、カバー用内視鏡の先端構成部の照明光用窓と観察光用窓との間に位置する表面に光を吸収、散乱または反射する減光部を設け、この減光部を前記内視鏡カバーに光学的に密着させたことによるものである点。
（相違点２）
　観察有効領域と照明有効領域との形状関係が、本願発明では、観察有効領域と照明有効領域のうち、少なくとも一方を円形ではない異形形状にしたものであるのに対し、刊行物１には、そのような観察有効領域と照明有効領域との形状関係について記載されていない点。
　
（２）相違点についての検討
（イ）相違点１について
　透明な透光物質内に入射し、進行してくる光の到達を阻止するために、透光物質内に遮光部分を設けることは、例えば、刊行物２において照明レンズ４の周囲に不透明な金属リングが設けられ、照明光が外部に漏れることを阻止、すなわち外部への遮光を行っている例（前記記載（２ｃ）〜（２ｅ）参照）にも見られるように、本願出願前周知の光入射阻止手段にすぎない。
　そして、レンズカバーを有する内視鏡カバーを使用するカバー式内視鏡においては、レンズカバー内部での反射などにより照明光が観察光学系に入射することを防止する必要性があることが刊行物１に記載されている以上、刊行物１に記載された照明光入射防止手段に代えて、周知の透明物質内での光入射阻止手段を用いるよう、前記一体のレンズカバーの一部に遮光部を設ける程度のことは、当業者が適宜なし得る設計変更にすぎない。
　
（ロ）相違点２について
　相違点２についての検討は、上記II．５．（２）と同様である。
　
４．むすび
　以上のとおり、本願発明は、本願出願前に頒布された上記刊行物１および２に記載された発明に基づいて当業者が容易に発明をすることができたものであるから、特許法第２９条第２項の規定により特許を受けることができない。
　したがって、請求項１に係る発明について審理するまでもなく、本件出願は拒絶されるべきものである。
　よって、結論のとおり審決する。